(57)【要約】【課題】使い勝手を向上した電気掃除機を提供する。【解決手段】集塵蓋部９２を備え床ブラシから吸い込んだ塵埃を集塵する集塵室１３をホース体の先端側の握り管部１２の下部に着脱可能にするガイド受部１３３を設ける。集塵室１３を装着した状態では集塵蓋部９２の開閉動作を不可とする誤動作防止部１３４を設ける。誤動作防止部１３４により、掃除中に集塵室１３が障害物と干渉しても集塵蓋部９２が不用意に開くことを防止でき、使い勝手を向上できる。【選択図】        図１
2004298497.tif 000002
【特許請求の範囲】
【請求項１】
電動送風機を収容した掃除機本体と、
前記電動送風機の吸込側に連通する連通管と、
この連通管に連通する吸込口体と、
開閉可能な蓋体を備え、前記吸込口体から吸い込まれた塵埃を集塵する集塵部と、
前記吸込口体ないし前記連通管の少なくともいずれかに前記集塵部を着脱可能とする集塵部受部と、
前記集塵部を装着した状態では前記蓋体の開閉動作を不可とする誤動作防止部と
を具備したことを特徴とした電気掃除機。
【請求項２】
誤動作防止部は、集塵部を集塵部受部へ取り付ける際に前記集塵部を位置決めする位置決め部材を、集塵部および集塵部受部の少なくともいずれか一方に有する
ことを特徴とした請求項１記載の電気掃除機。
【請求項３】
吸込口体ないし連通管の少なくともいずれかに設けられ、前記吸込口体を操作可能にし、かつ鈍角状に屈曲された操作部を具備し、
集塵部は、前記操作部の狭角側に着脱可能に設けられた
ことを特徴とした請求項１または２記載の電気掃除機。
【請求項４】
吸込口体ないし連通管の少なくともいずれかに設けられ、前記吸込口体を操作可能にし、かつ鈍角状に屈曲された操作部を具備し、
集塵部は、前記操作部の基端側に平行に着脱可能に設けられた
ことを特徴とした請求項１または２記載の電気掃除機。
【発明の詳細な説明】
【０００１】
【発明の属する技術分野】
本発明は、吸込口体から吸い込まれた塵埃を集塵する集塵部を備えた電気掃除機に関する。
【０００２】
【従来の技術】
従来、この種の電気掃除機は、電動送風機を収容した掃除機本体を備えている。この掃除機本体には、電動送風機の吸込側に連通して連通管としてのホース体が連通接続されている。このホース体の先端側には、作業者が把持して操作する操作部としての手許操作部が設けられている。この手許操作部の先端側には、いわゆるサイクロン式の遠心分離部が設けられている。さらに、遠心分離部の先端側には、延長管および吸込口体としての床ブラシが順次連通接続されている。そして、遠心分離部の下部には、床ブラシから空気とともに吸い込まれて遠心分離部にて空気と分離された塵埃が集塵される集塵部としての集塵室が着脱自在に連通接続されている（例えば、特許文献１参照。）。
【０００３】
【特許文献１】
特開２０００−１６６８２９号公報（第６−７頁、図２および図３）
【０００４】
【発明が解決しようとする課題】
しかしながら、上述の電気掃除機では、集塵室が手許操作部の近傍に位置しているため、掃除中に集塵室が障害物などに干渉、あるいは接触したり、作業者が集塵室に触れたりして集塵室が外れ、塵埃を撒き散らしたりするおそれがあるなど、使い勝手が良好でないという問題点を有している。
【０００５】
本発明はこのような点に鑑みなされたもので、使い勝手を向上した電気掃除機を提供することを目的とする。
【０００６】
【課題を解決するための手段】
本発明は、開閉可能な蓋体を備え、吸込口体から吸い込まれた塵埃を集塵する集塵部と、吸込口体ないし連通管の少なくともいずれかに集塵部を着脱可能とする集塵部受部と、集塵部を装着した状態では蓋体の開閉動作を不可とする誤動作防止部とを具備したものである。そして、誤動作防止部により、集塵部を装着した状態では蓋体の開閉動作を不可とすることで、例えば掃除中などに集塵部が障害物などと干渉しても蓋体が不用意に開くことを防止できるなど、使い勝手を向上できる。
【０００７】
【発明の実施の形態】
以下、本発明の一実施の形態の電気掃除機の構成を図面を参照して説明する。
【０００８】
図５において、１は掃除機本体であり、この掃除機本体１は床面を走行可能である。また、この掃除機本体１は、ケース体２と、このケース体２の上部に後部が連結して回動により上部を開放可能に覆って取り付けられる蓋体３とを備えた本体ケース４を有している。
【０００９】
本体ケース４内のケース体２の前側下部には、前方に向けて本体吸込口９が開口されている。また、この本体吸込口９には、連結管としての可撓性を有する伸縮管である蛇腹状のホース体１１の排気側、すなわち基端側が着脱可能に連通接続される。このホース体１１の吸気側である先端側には、操作部としての手許操作部である筒状の握り管部１２が設けられている。この握り管部１２の下部には、集塵部としての略筒状の集塵室１３が着脱可能に取り付けられている。さらに、握り管部１２の吸気側である先端側には、伸縮可能な接続管としての直線状の延長管１４を介して吸込口体としてのノズル体である床ブラシ１５が着脱可能に連通されて接続される。
【００１０】
ここで、本体ケース４内には、電動送風機１６が、本体ケース４の前後方向の中心域よりも若干後側に偏位して収容されている。この電動送風機１６の前側である吸込側は、本体吸込口９を介してホース体１１、握り管部１２および床ブラシ１５のそれぞれの排気側である基端側に連通している。すなわち、ホース体１１は一端側である先端側が床ブラシ１５に連通し、他端側である基端側が電動送風機１６の吸込側に連通する。また、床ブラシ１５は、電動送風機１６の吸込側に連通する。そして、本体吸込口９と電動送風機１６の吸込側との間には、床ブラシ１５から空気とともに吸い込んだ微細な塵埃、すなわち細塵を分離する図示しないフィルタ体が、図示しない細塵用集塵室内に着脱可能に取り付けられている。
【００１１】
また、握り管部１２は、図２に示すように、略円筒状の前側部２１を先端側に備え、この前側部２１の軸方向に対して鈍角状に軸方向を有する略円筒状の後側部２２を基端側に備えている。そして、この後側部２２の前側部２１と反対側の端部、すなわち後側部２２の基端側には、ホース体１１の先端側に接続される接続部となる円筒状の摺動部２３が後側部２２に対して周方向に摺動可能に接続されている。これら前側部２１、後側部２２および摺動部２３により、握り管部１２は、側面視で略への字状に、すなわち鈍角状に屈曲されている。
【００１２】
前側部２１は、図２および図３に示すように、延長管１４の基端側が挿入されて着脱可能に連通接続される吸入口２６を先端側に備え、この吸入口２６には、図３に示すように、直線状に設けられた風路部２７が連通している。
【００１３】
また、前側部２１内には、風路部２７の基端側に位置した管部３３と、この管部３３に連通接続された突当て部としての連通管３４とが設けられている。
【００１４】
管部３３は、風路部２７の排気側である基端側に連通し、先端側である風路部２７側から基端側である連通管３４側に向けて縮径された略円筒状に形成されている。また、管部３３の周壁には、この周壁を管部３３の径方向に貫通する開口３５が複数、例えば４つ設けられている。これら開口３５は、管部３３の周方向に略等角度に互いに離間されている。そして、これら開口３５には、ネット状の第１のフィルタ３６が取り付けられている。
【００１５】
さらに、前側部２１内の管部３３の周囲は、後側部２２の先端側に連通する風路としての連通風路３７となっている。この連通風路３７は、開口３５および第１のフィルタ３６を介して管部３３の内部と連通している。したがって、前側部２１は、管部３３と連通風路３７とにより、一部が二重管構造に形成されている。
【００１６】
またさらに、管部３３の基端側には、連通口３８が、この管部３３を貫通して設けられ、連通管３４の先端側と連通している。
【００１７】
連通管３４は、側面視で下側に向けて約９０°屈曲したＬ字状のパイプであり、連通口３８と反対側の端部が、前側部２１と後側部２２との隣接部に穿設された円形状の下部連通口３９に連通接続されている。したがって、連通管３４は、握り管部１２の外部と連通している。また、下部連通口３９の内周縁部には、可撓性を有するシール部としてのパッキン４１が全周に亘って取り付けられている。
【００１８】
そして、風路部２７、管部３３、連通管３４、開口３５および第１のフィルタ３６により、床ブラシ１５から空気とともに吸い込んだ塵埃を空気から分離する塵埃分離部４２が構成されている。したがって、塵埃分離部４２は、握り管部１２内に設けられている。
【００１９】
また、前側部２１は、作業者が把持することで握り管部１２により床ブラシ１５を操作可能にする把持部４３を後側部２２側の外周面に備えている。この把持部４３は、前側部２１の基端側に設けられており、この前側部２１の基端側に突出し、摺動部２３の基端側の上方に亘って下方に湾曲している。そして、この把持部４３には、図５に示すように、電動送風機１６の駆動状態などを設定する設定ボタン４４が複数設けられている。
【００２０】
さらに、後側部２２内には、図３に示すように、直線円筒状、すなわちパイプ状の通路部４５が収容されている。この通路部４５は、先端側である前側部２１側の端部が、この前側部２１と同軸状に開口し、かつ基端側である摺動部２３側の端部が後側部２２と同軸状に開口するとともに摺動部２３内にまで延設されている。
【００２１】
そして、後側部２２の外周面の上側の前側部２１側である把持部４３の下方には、取付孔４６が穿設されている。また、通路部４５の外周面における取付孔４６に対向する部分には、この取付孔４６と同軸状に貫通取付孔４７が穿設されている。
【００２２】
またさらに、取付孔４６および貫通取付孔４７には、弁体としてのリーク弁５３が挿入されて取付孔４６および貫通取付孔４７の周方向に沿って回動可能に取り付けられている。
【００２３】
後側部２２の外周面の下側には、略矩形状の通気開口としての開口部８４が穿設されている。この開口部８４は、通路部４５の外周面の下側まで貫通して設けられ、集塵室１３を握り管部１２の下部に取り付けた状態で集塵室１３の基端側に対して気密になるように連通接続される。この開口部８４の縁部の先端側の側方には、２対、すなわち４つの爪状の固定部８５が突出して一体に設けられている。
【００２４】
また、開口部８４の内周縁部には、図１に示すように、可撓性を有するシール部としての開口パッキン８６が開口部８４の全周に亘って取り付けられている。
【００２５】
一方、集塵室１３は、図１ないし図４に示すように、握り管部１２の後側部２２の軸方向に略平行な直線状の軸方向を有する略円筒状に形成され、握り管部１２の下部における前側部２１と後側部２２との隣接部近傍、すなわち握り管部１２の狭角部側のスペースに着脱可能に取り付けられている。また、集塵室１３は、略円筒状の集塵室本体９１を備え、この集塵室本体９１の一端側の開口には、蓋体としての集塵室底蓋である集塵蓋部９２が開閉可能に取り付けられている。
【００２６】
集塵室本体９１は、握り管部１２の下部に取り付けられた状態で上側に位置する集塵室上蓋としての上部本体９３と、この上部本体９３の下側に位置する下部本体９４とを有している。
【００２７】
上部本体９３は、図４に示すように、下部本体９４の上端部の両側に沿ってそれぞれ設けられ、集塵室１３の一端側である先端側よりの位置が互いに連結されて平面視略Ｈ字状に形成されている。また、上部本体９３は、集塵室１３を握り管部１２の下部に取り付けた状態で握り管部１２の前側部２１と後側部２２との隣接部の近傍に位置する。
【００２８】
また、下部本体９４は、下方に湾曲した断面半円形状に形成されている。このため、下部本体９４内には、塵埃分離部４２にて分離された塵埃が収容される断面半円形状の塵埃収容部９５が集塵室本体９１内に形成されている。
【００２９】
また、この下部本体９４の上端部である上側面には、集塵室１３を握り管部１２の下部に取り付けた状態で握り管部１２の開口部８４の周縁部に開口パッキン８６を介して接触する受け曲面部９７が突設されている。この受け曲面部９７は、握り管部１２の下側の外周面に沿って凹弧状に湾曲している。さらに、この受け曲面部９７は、下部本体９４の軸方向の他端側である基端側に設けられている。
【００３０】
そして、受け曲面部９７には、矩形状の集塵室連通孔９８が穿設されている。すなわち、集塵室連通孔９８は、下部本体９４の基端側に設けられている。したがって、この集塵室連通孔９８は、集塵室１３を握り管部１２の下部に取り付けた状態で、開口パッキン８６により開口部８４に気密になるように連通する。また、この集塵室連通孔９８には、図３に示すように、この集塵室連通孔９８を横断して細長矩形状のリブ９９が設けられている。このリブ９９により、集塵室連通孔９８は集塵室１３の軸方向に２分割されている。そして、集塵室連通孔９８には、この集塵室連通孔９８の全面を閉塞して第２のフィルタ１０１が取り付けられている。
【００３１】
またさらに、下部本体９４の軸方向の一端側である先端側には、図２ないし図４に示すように、円形状の集塵室通気孔１０３が穿設されている。この集塵室通気孔１０３は、握り管部１２の下部連通口３９と略等しい径寸法を有しており、集塵室１３を握り管部１２の下部に取り付けた際に、パッキン４１により下部連通口３９に対して気密になるように連通する。言い換えると、塵埃分離部４２と集塵室１３とは、下部連通口３９および集塵室通気孔１０３により互いに連通している。
【００３２】
そして、上部本体９３と下部本体９４との隣接部の軸方向の中心域には、図１および図２に示すように、握り管部１２の前側部２１と後側部２２との間の下部から集塵室１３を着脱させる矩形状の一対の脱着ボタン１１１が設けられている。この脱着ボタン１１１は、集塵室１３の集塵室本体９１の基端側から先端側に向けて図示しないばねなどにより付勢された状態で、集塵室本体９１の軸方向に沿って所定距離だけ摺動すなわちスライド可能に取り付けられている。
【００３３】
また、各脱着ボタン１１１の内側、すなわち集塵室本体９１の中心軸側には、図２および図４に示すように、脱着ボタン１１１のスライドにより握り管部１２の固定部８５に対してそれぞれ係脱される一対の脱着爪１１２が一体にそれぞれ設けられている。これら脱着爪１１２は、集塵室本体９１の軸方向の基端側から先端側に向けて略直角に屈曲され、基端側から先端側に向けて上側が下方向に傾斜した略三角形状に設けられている。
【００３４】
集塵蓋部９２は、円形キャップ状の蓋部本体１１３を備えている。この蓋部本体１１３は、集塵蓋部９２を集塵室本体９１に対して閉じた際に、集塵室本体９１の基端側の開口を閉塞する。
【００３５】
また、この蓋部本体１１３の上端部近傍には、図４に示すように、一対のヒンジ１１４が一体に設けられている。これらヒンジ１１４は、蓋部本体１１３の軸方向に沿って突出している。さらに、ヒンジ１１４は、集塵室本体９１の上部本体９３に回動可能に軸支されている。したがって、これらヒンジ１１４により、集塵蓋部９２は、集塵室本体９１に対して上下方向に回動可能に取り付けられ、この上下方向への回動により集塵室本体９１内を開放および閉塞する。
【００３６】
またさらに、蓋部本体１１３の集塵室本体９１と反対側の側面の下端部には、図３に示すように、側面視で段差状に窪んだクランプ嵌合部１１５が設けられている。このクランプ嵌合部１１５には、集塵蓋部９２を集塵室本体９１に対して固定および開放する開閉クランプ１１６が嵌合して取り付けられている。この開閉クランプ１１６は、蓋部本体１１３の径方向に沿って取り付けられた板状のクランプ本体１１７を備えている。
【００３７】
このクランプ本体１１７には、蓋部本体１１３側に向けて突出した軸支部１１８が一体に設けられている。そして、クランプ本体１１７は、図示しないばねなどにより下方に付勢された状態で、軸支部１１８が蓋部本体１１３の下端部に、上下方向に回動可能に軸支されている。
【００３８】
また、クランプ本体１１７の上端部には、軸支部１１８とは反対方向に向けて突出した平面視略矩形状のクランプ操作部１２１が一体に設けられている。このクランプ操作部１２１は、図１および図４に示すように、先端側が円弧状に突出している。
【００３９】
さらに、クランプ本体１１７のクランプ操作部１２１とは反対側の下端部は、図３に示すように、集塵室本体９１の軸方向に沿ってクランプ操作部１２１と反対側に向けて湾曲され、この下端部には、蓋部本体１１３の中心軸方向に向けて若干突出したクランプ係合部１２２が一体に設けられている。このクランプ係合部１２２は、下部本体９４の下端部に一体に設けられた係合部１２３に係脱されることで、集塵蓋部９２を集塵室本体９１に対して固定および開放する。したがって、集塵蓋部９２は、開閉クランプ１１６のクランプ操作部１２１を上方向に回動させた際に、クランプ係合部１２２が係合部１２３から外れることで、集塵室本体９１に対して開放される。
【００４０】
そして、蓋部本体１１３の集塵室本体９１と反対側の側面の下端部におけるクランプ嵌合部１１５の上方には、図１、図３および図４に示すように、開閉クランプ１１６の開閉の際の支点となる支点部としての略半円形状のガイド凸部１２５が一体に設けられている。このガイド凸部１２５は、クランプ操作部１２１に対して略平行に突出し、かつ側面視でクランプ操作部１２１よりも突出量が小さい。また、このガイド凸部１２５の先端側には、図１に示すように、位置決め凹部としての半円形状の嵌合凹部１２６が切り欠き形成されている。
【００４１】
摺動部２３の外周面の下側には、図１ないし図４に示すように、集塵室１３を握り管部１２の下部に着脱可能とする集塵部受部としてのガイド受部１３１が下方に向けて突出して一体に設けられている。このガイド受部１３１には、図１および図２に示すように、集塵室１３に対向する部分に凹面状に湾曲した嵌合部１３２が設けられている。この嵌合部１３２内には、図１および図３に示すように、誤動作防止リブとしての位置決め部材である矩形状の嵌合リブ１３３がガイド受部１３１と一体に設けられている。この嵌合リブ１３３は、摺動部２３の外周面から嵌合部１３２の中心軸に沿って下方に向けて突出している。また、この嵌合リブ１３３は、集塵室１３を握り管部１２の下部に取り付けた状態で、集塵室１３の集塵蓋部９２の嵌合凹部１２６に嵌合するとともに、開閉クランプ１１６のクランプ操作部１２１の上側面に当接して、この開閉クランプ１１６を下方向に向けて押さえている。
【００４２】
そして、これら開閉クランプ１１６、ガイド凸部１２５、嵌合凹部１２６および嵌合リブ１３３などにより、集塵室１３を握り管部１２の下部に取り付け、すなわち装着した状態では集塵蓋部９２の開閉動作を不可とする誤動作防止部１３４が構成されている。
【００４３】
次に、上記一実施の形態の掃除動作を説明する。
【００４４】
まず、本体吸込口９にホース体１１の基端を連通接続させるとともに、先端に床ブラシ１５が連通接続された延長管１４の基端を、ホース体１１の握り管部１２の吸入口２６に連通接続させ、集塵室１３を握り管部１２の下部に取り付ける。
【００４５】
このとき、集塵室１３の集塵蓋部９２の嵌合凹部１２６が嵌合リブ１３３の下端部に嵌合することで、集塵室１３が握り管部１２に対して位置決めされ、かつこの嵌合リブ１３３が集塵室１３の取付方向を案内する位置決め部材、かつ手がかり、すなわちガイドとなる。そして、嵌合リブ１３３が開閉クランプ１１６のクランプ操作部１２１の上側面に当接するまで集塵室１３を上方に移動させることで、各脱着ボタン１１１の脱着爪１１２が固定部８５にそれぞれ係合し、集塵室１３が握り管部１２の下部に固定される。
【００４６】
この後、握り管部１２の把持部４３を把持しつつ、この把持部４３の所定の設定ボタン４４をオンして本体ケース４内の電動送風機１６を駆動させる。
【００４７】
そして、作業者は把持部４３を把持し、床ブラシ１５を前後方向に向けて操作して掃除する。
【００４８】
ここで、作業者が誤って開閉クランプ１１６のクランプ操作部１２１に触れたり、このクランプ操作部１２１が障害物などに干渉したりしても、嵌合リブ１３３にて開閉クランプ１１６が押さえられて集塵蓋部９２が不用意に開くことを防止する。
【００４９】
このとき、電動送風機１６の駆動により、床面上の塵埃が床ブラシ１５から空気とともに吸い込まれる。
【００５０】
この床ブラシ１５から吸い込まれた空気は吸込風となり、塵埃とともに延長管１４および風路部２７を直線状に通過し、握り管部１２の前側部２１の管部３３内に流入する。
【００５１】
管部３３内に流入した吸込風は、第１のフィルタ３６を通過して開口３５から通気風路３７へと流入する。このとき、吸込風に含まれる微細な塵埃は、第１のフィルタ３６により吸込風から分離される。この後、この吸込風は、握り管部１２の後側部２２内の通路部４５内を通過して、ホース体１１内へと流入し本体吸込口９から本体ケース４内に流入する。
【００５２】
一方、所定以上の質量がある塵埃、すなわち比較的大きい塵埃は、吸込風により直進方向の慣性力が与えられた状態で管部３３内に流入し、この慣性力により延長管１４と同軸上に管部３３内を直線状に移動して連通口３８を介して連通管３４に流入し、この連通管３４の屈曲部に突き当たって下部連通口３９および集塵室通気孔１０３を介して集塵室１３内に導入される。
【００５３】
この結果、床ブラシ１５から空気とともに吸い込んだ塵埃が、慣性力により塵埃分離部４２にて塵埃と空気とに分離、すなわち慣性分離される。
【００５４】
集塵室１３内に導入された塵埃は、集塵室１３内に収容される。
【００５５】
さらに、通路部４５内を通過する吸込風により、通路部４５が集塵室１３内よりも負圧となり、集塵室連通孔９８および開口部８４から集塵室１３内の空気が第２のフィルタ１０１を介して通路部４５内へと引き込まれ、集塵室１３内にも集塵室通気孔１０３から集塵室連通孔９８へと向かう空気の流れが形成される。
【００５６】
そして、本体ケース４内に流入した吸込風は、細塵用集塵室の細塵用フィルタを通過してこの吸込風に残留した細塵を分離された後、電動送風機１６を通過して排気風となり、図示しない排気孔から本体ケース４の外部に排気される。
【００５７】
塵埃が集塵室１３内に所定量溜まった際には、脱着ボタン１１１を操作して集塵室１３を握り管部１２から取り外し、作業者がガイド凸部１２５と開閉クランプ１１６のクランプ操作部１２１とを指で挟み、いわゆる洗濯ばさみを開くように操作することで、開閉クランプ１１６が軸支部１１８を中心に回動して集塵蓋部９２が集塵室本体９１に対して開く。そして、集塵室１３内の塵埃を図示しないごみ箱などに廃棄し、集塵蓋部９２を閉じて集塵室１３を握り管部１２に再び取り付けて使用する。
【００５８】
上述したように、上記一実施の形態では、開閉可能な集塵蓋部９２を備え床ブラシ１５から吸い込まれた塵埃を集塵する集塵室１３を握り管部１２の下部に着脱可能にするガイド受部１３１を設け、かつ集塵室１３を装着した状態では集塵蓋部９２の開閉動作を不可とする誤動作防止部１３４を設ける構成とした。
【００５９】
このため、掃除中などに集塵室１３が障害物などと干渉しても集塵蓋部９２が不用意に開くことを誤動作防止部１３４で防止できるので、掃除中に集塵室が障害物などに干渉、あるいは接触したり、作業者が集塵室に触れたりして集塵室が外れるおそれがある従来の場合と比較して、塵埃を撒き散らしたりすることを抑制でき、使い勝手を向上できる。
【００６０】
また、開閉クランプ１１６を操作する際の支点となるガイド凸部１２５に設けた嵌合凹部１２６に嵌合することで集塵室１３を握り管部１２に取り付ける際のガイドとなる嵌合リブ１３３を、誤動作防止部１３４が有していることにより、集塵室１３のガイド部分を別個に設ける場合と比較して、部品を省略でき、製造コストを削減できるとともに、集塵室１３を作業者が片手で握り管部１２の下部を探りながら容易に取り付けできるので集塵室１３の取り付けの作業性を、より向上できる。
【００６１】
さらに、鈍角状に屈曲された握り管部１２の狭角側である下部に集塵室１３を設けることにより、握り管部１２の下部のデッドスペースを有効に利用して握り管部１２の容量すなわちボリュームを最小限に抑制しつつ、効率よく集塵容積を確保できる。
【００６２】
しかも、集塵室１３がデッドスペースに位置していることで、延長管１４を床面の近傍、すなわち床面ぎりぎりまで下げることができ、集塵室１３が掃除の際に邪魔にならないとともに、延長管１４を外して掃除する際にも、集塵室１３が邪魔にならない。
【００６３】
なお、上記一実施の形態において、集塵室１３を握り管部１２の下流側である後側部２２に平行に取り付ける構成も可能である。
【００６４】
なお、上記一実施の形態において、握り管部１２は、床ブラシ１５、延長管１４およびホース体１１など、床ブラシ１５の先端からホース体１１の基端までの風路の任意の位置、すなわち床ブラシ１５ないしホース体１１の少なくともいずれかの位置に設けることが可能である。
【００６５】
また、ガイド受部１３１は、握り管部１２の下部だけでなく、床ブラシ１５ないしホース体１１の少なくともいずれかの位置に設けることが可能であり、このガイド受部１３１により、集塵室１３が、床ブラシ１５ないしホース体１１の少なくともいずれかの位置に着脱可能となる。
【００６６】
さらに、延長管１４を使用しない電気掃除機などにも適用可能である。
【００６７】
またさらに、吸込口体としては、床ブラシ１５以外にも、例えば鶴口など、他の様々な吸込口体が可能である。
【００６８】
そして、集塵室１３を複数個設けて集塵効率を向上してもよい。
【００６９】
また、嵌合リブ１３３を集塵蓋部９２など集塵室１３側に設け、嵌合凹部１２６をガイド受部１３１側に設ける構成も可能であり、嵌合リブ１３３および嵌合凹部１２６をそれぞれ複数個ずつ設ける構成も可能である。
【００７０】
【発明の効果】
本発明によれば、誤動作防止部により、集塵部を装着した状態では蓋体の開閉動作を不可とすることで、例えば掃除中などに集塵部が障害物などと干渉しても蓋体が不用意に開くことを防止できるなど、使い勝手を向上できる。
【図面の簡単な説明】
【図１】本発明の一実施の形態の電気掃除機の一部を拡大して示す斜視図である。
【図２】同上電気掃除機の一部を示す斜視図である。
【図３】同上電気掃除機の一部を示す側面断面図である。
【図４】同上電気掃除機の一部を拡大して示す斜視図である。
【図５】同上電気掃除機を示す斜視図である。
【符号の説明】
１    掃除機本体
１１    連通管としてのホース体
１２    操作部としての握り管部
１３    集塵部としての集塵室
１５    吸込口体としての床ブラシ
１６    電動送風機
９２    蓋体としての集塵蓋部
１３１    集塵部受部としてのガイド受部
１３３    位置決め部材としての嵌合リブ
１３４    誤動作防止部
【図１】
2004298497.tif 000003
【図２】
2004298497.tif 000004
【図３】
2004298497.tif 000005
【図４】
2004298497.tif 000006
【図５】
2004298497.tif 000007